(57)【要約】   デジタルオフセットは、同じ音声信号を処理する１つまたはより多くのアナログ構成要素によって引き起こされる出力オフセットを取り消すためにデジタルドメインの中の音声信号と結合される。この方法において、音声信号経路の出力で（例えば、電力増幅器出力で）オフセットは減らされる、または削除される。その結果、クリック／ポップのアーティファクトのような、可聴アーティファクトは、減らされ、または削除されることができる。地上−参照されたキャップレスモードで動作する音声デバイスにおいて、このような音声デバイスのヘッドセットまたはスピーカーを通って減らされたまたは削除された直流（ＤＣ）漏洩電流のために、電力消費は減らされる。いくつかの事情において、デジタルドメインの中のデジタルオフセットは、音声信号経路の動作の実質上全ての時間で適用されることができる。
2011503924.tif 000002
【特許請求の範囲】
【請求項１】
デジタル化された音声信号にデジタルオフセットを加算するように構成されたデジタル処理部を具備し、前記デジタルオフセットは、前記デジタル化された音声信号に応じて前記アナログ音声信号を生じさせるように構成された１つまたはより多くのアナログ構成要素によってアナログ音声信号に差し込まれた出力オフセットに基づいている、装置。
【請求項２】
前記デジタル処理部は、前記デジタル化された音声信号に前記デジタルオフセットを加算するように構成されたサマーを含む、請求項１に記載の装置。
【請求項３】
前記デジタル処理部は、
１つまたはより多くのデジタル処理構成要素と、
前記デジタル処理構成要素の出力を受信するように構成された前記サマーと
を含む、請求項２に記載の装置。
【請求項４】
前記デジタル処理構成要素は、
第１の切り捨て器と、
前記第１の切り捨て器から出力を受信するように構成されたローパスフィルタと、
前記ローパスフィルタから出力を受信するように構成された第２の切り捨て器と
を備える、請求項３に記載の装置。
【請求項５】
前記デジタル処理部は、前記サマーの出力を受信するように構成された１つまたはより多くのデジタル処理構成要素を含む、請求項２に記載の装置。
【請求項６】
前記デジタル処理構成要素は、
第１の切り捨て器と、
前記第１の切り捨て器から出力を受信するように構成されたローパスフィルタと、
前記ローパスフィルタから出力を受信するように第２の切り捨て器と
を備える、請求項５に記載の装置。
【請求項７】
前記デジタルオフセットは、前記出力オフセットの前記負数に対応する、請求項１に記載の装置。
【請求項８】
前記出力オフセットは、所定のシステマティックＤＣオフセットである、請求項１に記載の装置。
【請求項９】
前記デジタル処理部に前記出力オフセットを提供するように構成されたフィードバック経路を更に具備する、請求項１に記載の装置。
【請求項１０】
前記出力オフセットをデジタル値に変換するように構成された、前記フィードバック経路に含まれるアナログ−デジタル変換器（ＡＤＣ）を更に具備する、請求項９に記載の装置。
【請求項１１】
前記装置の初期設定で前記出力オフセットを決定するように構成されたオフセット測定部を更に具備する、請求項１に記載の装置。
【請求項１２】
前記デジタル処理部は、
ファームウェア経路と、
ハードウェア経路と、
前記デジタル化された音声信号を処理するために前記ハードウェア経路または前記ファームウェア経路のどちらか一方を選択するように構成されたセレクタと
を備える、請求項１に記載の装置。
【請求項１３】
前記アナログ構成要素を備えるアナログ処理部を更に具備する、請求項１に記載の装置。
【請求項１４】
前記アナログ処理部は、
ゼロオーダーホールド回路と、
前記ゼロオーダーホールド回路から出力を受信するように構成されたシグマ−デルタ変調装置と、
前記シグマ−デルタ変調装置から出力を受信するように構成されたデジタル−アナログ変換器（ＤＡＣ）と、
前記ＤＡＣから出力を受信するように構成されたローパスフィルタと
を備える、請求項１３に記載の装置。
【請求項１５】
前記アナログ処理部から前記音声信号を受信するように構成された音声増幅器を更に具備する、請求項１３に記載の装置。
【請求項１６】
前記アナログ処理部から出力された前記音声信号を受信するように構成されたマルチプレクサと、
前記マルチプレクサから前記音声信号を選択的に受信するように構成された多数の音声増幅器と
を更に具備する請求項１３に記載の装置。
【請求項１７】
前記デジタル化された音声信号を増幅するように構成されたプログラマブル利得増幅器（ＰＧＡ）を更に具備する、請求項１に記載の装置。
【請求項１８】
デジタル化された音声信号が１つまたはより多くのアナログ構成要素によって受信される前に、前記デジタル化された音声信号にデジタルオフセットを加算することを具備し、前記デジタルオフセットは、前記アナログ構成要素によって音声信号に差し込まれた出力オフセットに基づいている、方法。
【請求項１９】
前記デジタルオフセットは、前記出力オフセットの前記負数に対応する、請求項１８に記載の方法。
【請求項２０】
前記出力オフセットは、所定のシステマティックＤＣオフセットである、請求項１８に記載の方法。
【請求項２１】
前記アナログ構成要素の初期設定で前記出力オフセットを測定することと、
前記出力オフセットを前記デジタルオフセットに変換することと
を更に具備する、請求項１８に記載の方法。
【請求項２２】
前記デジタル化された音声信号を処理するためにデジタル処理部の中にハードウェア経路またはファームウェア経路のどちらか一方を選択することを更に具備する、請求項１８に記載の方法。
【請求項２３】
前記デジタルオフセットは、所定数のビットを備え、前記所定数のビットは、前記アナログ構成要素によって前記音声信号に適用された利得に基づいている、請求項１８に記載の方法。
【請求項２４】
デジタルオフセットを格納するための手段、前記デジタルオフセットは、１つまたはより多くのアナログ構成要素によって音声信号に差し込まれている出力オフセットに基づいている、と、
デジタル化された音声信号が前記アナログ構成要素によって受信される前に、前記デジタル化された音声信号に前記デジタルオフセットを加算するための手段と
を具備する、装置。
【請求項２５】
前記デジタルオフセットは、前記出力オフセットの前記負数に対応する、請求項２４に記載の装置。
【請求項２６】
前記アナログ構成要素の初期設定で前記出力オフセットを測定するための手段と、
前記出力オフセットを前記デジタルオフセットに変換するための手段と
を更に具備する、請求項２４に記載の装置。
【請求項２７】
前記格納する手段に前記出力オフセットを提供するためのフィードバック手段を更に具備する、請求項２６に記載の装置。
【請求項２８】
前記デジタル化された音声信号を処理するためにデジタル処理部の中にハードウェア経路またはファームウェア経路のどちらか一方を選択するための手段を更に具備する、請求項２４に記載の装置。
【請求項２９】
デジタルオフセットを格納するためのコード、前記デジタルオフセットは、１つまたはより多くのアナログ構成要素によって音声信号に差し込まれた出力オフセットに基づいている、と、
デジタル化された音声信号が前記アナログ構成要素によって受信される前に、前記デジタル化された音声信号に前記デジタルオフセットを加算するためのコードと
を具備する、１つまたはより多くのプロセッサによって実行可能な命令のセットを具体化するコンピュータ読み取り可能媒体。
【請求項３０】
前記デジタルオフセットは、前記出力オフセットの前記負数に対応する、請求項２９に記載のコンピュータ読み取り可能媒体。
【請求項３１】
前記アナログ構成要素の初期設定で前記出力オフセットを測定するためのコードと、
前記出力オフセットを前記デジタルオフセットに変換するためのコードと、
を更に具備する、請求項２９に記載のコンピュータ読み取り可能媒体。
【請求項３２】
前記デジタル化された音声信号を処理するためにデジタル処理部の中にハードウェア経路またはファームウェア経路のどちらか一方を選択するためのコードを更に具備する、請求項１に記載のコンピュータ読み取り可能媒体。
【請求項３３】
デジタル化された音声信号にデジタルオフセットを加算するように構成されたデジタル回路と、
前記デジタル回路から前記デジタル化された音声信号を受信し、アナログ音声信号を生じさせるために前記デジタル化された音声信号を処理するように構成されたアナログ回路と
を具備し、
前記デジタルオフセットは、前記アナログ回路によって前記アナログ音声信号に差し込まれた出力オフセットに基づいている、
一時的な可聴アーティファクトを抑制するためのデバイス。
【請求項３４】
前記デジタルオフセットは、前記出力オフセットの前記負数に対応する、請求項３３に記載のデバイス。
【請求項３５】
前記デジタル回路は、
ファームウェア経路と、
ハードウェア経路と、
前記デジタル化された音声信号を処理するために前記ハードウェア経路または前記ファームウェア経路のどちらか一方を選択するように構成されたセレクタと
を備える、請求項３３に記載のデバイス。
【請求項３６】
前記デジタル回路に前記出力オフセットを提供するように構成された、前記アナログ回路から前記デジタル回路へのフィードバック経路を更に具備する、請求項３３に記載のデバイス。
【請求項３７】
前記出力オフセットをデジタル値に変換するように構成された、前記フィードバック経路の中に含まれるアナログ−デジタル変換器（ＡＤＣ）を更に具備する、請求項３６に記載のデバイス。
【請求項３８】
前記アナログ回路から出力された前記音声信号を受信するように構成されたマルチプレクサと、
前記マルチプレクサから前記音声信号を選択的に受信するように構成された多数の音声増幅器と
を更に具備する、請求項３３に記載のデバイス。
【請求項３９】
左のステレオチャネルに対応する第１のデジタル化された音声信号に第１のデジタルオフセットを加算するように構成された第１のデジタル処理部と、
前記第１のデジタル処理部から前記第１のデジタル化された音声信号を受信し、アナログ音声信号を生じさせるために前記第１のデジタル化された音声信号を処理するように構成された第１のアナログ処理部と、
右のステレオチャネルに対応する第２のデジタル化された音声信号に第２のデジタルオフセットを加算するように構成された第２のデジタル処理部と、
前記第２のデジタル処理部から前記第２のデジタル化された音声信号を受信し、アナログ音声信号を生じさせるために前記第２のデジタル化された音声信号を処理するように構成された第２のアナログ処理部と
を具備し、
前記第１のデジタルオフセットは、前記第１のアナログ処理部によって前記第１のアナログ音声信号に差し込まれた第１の出力オフセットに基づいている、
前記第２のデジタルオフセットは、前記第２のアナログ処理部によって前記第２のアナログ音声信号に差し込まれた第２の出力オフセットに基づいている、
装置。
【請求項４０】
前記第１のデジタルオフセットは、前記第１の出力オフセットの前記負数に対応する、
前記第２のデジタルオフセットは、前記第２の出力オフセットの前記負数に対応する、
請求項３９に記載の装置。
【発明の詳細な説明】
【米国特許法第１１９条の下での優先権主張】
【０００１】
本願は、本願の譲受人に譲渡され、参照によって本願に明確に組み込まれた２００７年９月２８日出願の“出力オフセットを減らすための方法及び装置”と題された、米国特許仮出願第６０／９７６，３３４号に対する優先権を主張する。
【技術分野】
【０００２】
本開示は、デジタル音声デバイスに一般に関し、より特に、音声デバイスにおける電力消費を減らし、一時的な音声のアーティファクトを抑制するための技術に関する。
【背景技術】
【０００３】
デジタル音声デバイスは、デジタル情報から音を生じさせる電子デバイスである。それらは、これらに限られないが、ＭＰＥＧ−１音声層３（ＭＰ３）プレーヤーのような、音声再生デバイス、コンピュータ、ステレオシステム、ラジオ受信機；ビデオプレーヤーのような、音声映像システム、衛星ラジオ受信機、パーソナルデジタルアシスタント（ＰＤＡｓ）、セルラー電話、陸線電話、及びその同様なものを含む。
【０００４】
デジタル音声デバイスにおける２つの性能の考慮すべき事柄は、電力消費及び可聴アーティファクトの存在である。
【０００５】
可聴アーティファクトは、その音声デバイスから出力された音に差し込まれた知覚できる雑音であり、その音声デバイス自身の動作によってしばしば引き起こされる。可聴アーティファクトは、通常望ましくなく、そのデバイスに入力された音声の忠実度からの偏差を表す。
【０００６】
クリック／ポップは、可聴アーティファクトの特定のタイプである。クリック／ポップは、スピーカーによって生じさせられる不快な可聴アーティファクトである。それは、音声デバイスがパワーアップするまたはパワーダウンするときにしばしば聞かれる。クリック／ポップは、突然の一時的な電圧、例えば、パワーオンモード及びパワーオフモードのような、操作モードの間で音声電力増幅器が変化するときに生じるうるスピーカーを渡った直流（ＤＣ）オフセットによって一般に引き起こされる。他の操作モードは、シャットダウンモードを含むことができる。そして、電力は、その音声電力増幅器にまだ適用される。しかし、その音声信号自身は、そのデバイスで停止される。その音声信号が停止され、または再開される、すなわち、それぞれ、シャットダウンモードから、または、シャットダウンモードに変化しているときに、クリック／ポップはそのうち聞かれることがありうる。
【０００７】
クリック／ポップは、音声デバイスとともにヘッドセットを使用するときに特に悩ますことがありうる。ヘッドセットまたはヘッドホン（集合的にヘッドセット）を通して、セルラー及び規約陸線電話を含む電話を使用することは、消費者にとって極めて普通のことである。同様に、ヘッドセットは、ＭＰ３プレーヤーのような、音声再生デバイスとともに通常使用される。ヘッドセットは、有線式または無線、例えば、Bluetooth（登録商標）を使用可能なヘッドセットであることができる。使用の間のユーザの耳に対するヘッドセットのあきのない近接のため、ヘッドセットのクリック／ポップは、大いに悩まし、聞くことでさえ有害であることがありうる。それゆえ、デジタル音声デバイスにおけるクリック／ポップを削除する、または、減らすためのその分野における必要性がある。
【０００８】
特に携帯用の通信及び娯楽デバイスのような、デジタル音声デバイスの設計に影響する他の判定基準は、電力消費である。例えば、携帯用のデバイスの期待されるバッテリ寿命は、そのデバイスによって消費される電力と逆に関連する。それゆえ、音声通信及び音声再生／演奏デバイスの中の電力消費を減らすためのその分野における必要性もまたある。
【発明の概要】
【０００９】
いくつかの事情において、デジタル音声デバイスにおける電力消費、及びクリック／ポップの問題に対する新たな及び改良されたアプローチは、ここで開示される。そのアプローチは、音声デバイスの操作モード変化によって引き起こされるクリック／ポップのアーティファクトをはっきりと減らし、また、音声増幅器及びスピーカーによる電力消費を減らすことができる。
【００１０】
そのアプローチの１つの観点によれば、装置は、デジタル化された音声信号にデジタルオフセットを加算するように構成されたデジタル処理部を含む。前記デジタルオフセットは、１つまたはより多くのアナログ構成要素によってアナログ音声信号に差し込まれた出力オフセットに基づいている。前記アナログ構成要素は、前記デジタル化された音声信号に応じてアナログ音声信号を生じさせるように構成される。
【００１１】
そのアプローチの別の観点によれば、方法は、デジタル化された音声信号が１つまたはより多くのアナログ構成要素によって受信される前にデジタル化された音声信号にデジタルオフセットを加算することを含む。前記デジタルオフセットは、前記アナログ構成要素によって音声信号に差し込まれた出力オフセットに基づいている。
【００１２】
そのアプローチの別の観点によれば、装置は、デジタルオフセットを格納するための手段を含む。前記デジタルオフセットは、１つまたはより多くのアナログ構成要素によって音声信号に差し込まれた出力オフセットに基づいている。前記装置はまた、デジタル化された音声信号が前記アナログ構成要素によって受信される前に前記デジタル化された音声信号に前記デジタルオフセットを加算する手段を含む。
【００１３】
そのアプローチの別の観点によれば、１つまたはより多くのプロセッサによって実行可能な命令のセットを具体化するコンピュータ読み取り可能媒体は、デジタルオフセットを格納するためのコードを含む。前記デジタルオフセットは、１つまたはより多くのアナログ構成要素によって音声信号に差し込まれた出力オフセットに基づいている。前記コンピュータ読み取り可能媒体はまた、デジタル化された音声信号が前記アナログ構成要素によって受信される前に前記デジタル化された音声信号に前記デジタルオフセットを加算するためのコードを含む。
【００１４】
そのアプローチの別の観点によれば、一時的な可聴アーティファクトを抑制するためのデバイスは、デジタル化された音声信号にデジタルオフセットを加算するように構成されたデジタル回路を含む。前記デバイスはまた、前記デジタル回路から前記デジタル化された音声信号を受信し、アナログ音声信号を生じさせるために前記デジタル化された音声信号を処理するように構成されたアナログ回路を含む。前記デジタルオフセットは、前記アナログ回路によって前記アナログ音声信号に差し込まれた出力オフセットに基づいている。
【００１５】
そのアプローチの別の態様によれば、装置は、左のステレオチャネルに対応する第１のデジタル化された音声信号に第１のデジタルオフセットを加算するように構成された第１のデジタル処理部、及び前記第１のデジタル処理部から前記第１のデジタル化された音声信号を受信し、アナログ音声信号を生じさせるために前記第１のデジタル化された音声信号を処理するように構成されたアナログ処理部を含む。前記装置はまた、右のステレオチャネルに対応する第２のデジタル化された音声信号に第２のデジタルオフセットを加算するように構成された第２のデジタル処理部、及び前記第２のデジタル処理部から前記第２のデジタル化された音声信号を受信し、アナログ音声信号を生じさせるために前記第２のデジタル化された音声信号を処理するように構成された第２のアナログ処理部を含む。前記第１のデジタルオフセットは、前記第１のアナログ処理部によって前記第１のアナログ音声信号に差し込まれた第１の出力オフセットに基づいており、前記第２のデジタルオフセットは、前記第２のアナログ処理部によって前記第２のアナログ音声信号に差し込まれた第２の出力オフセットに基づいている。
【００１６】
開示されたアプローチの他の観点、特徴、及び利点は、以下の図及び詳細な記述の考察で当業者には明白である、または明白となるであろう。このような付加的な特徴、態様、プロセス及び利点の全てがこの記述の中に含まれ、添付の特許請求の範囲によって保護されるということは、意図される。
【図面の簡単な説明】
【００１７】
図が実例の目的のためだけのものであるということは理解されるべきである。更に、その図の構成要素は必ずしも基準化するためではなく、代わりに、ここで開示される方法及び装置の原理を説明することが強調される。その図において、同様の参照数字は、異なる見解の至る所で対応する部分を示す。
【図１】図１は、音声デバイスの中の出力オフセットを削除するまたは減らすための代表的な装置のある構成要素を説明する概念ブロック図である。
【図２】図２は、音声信号経路から出力オフセットを削除するまたは減らすように構成された代表的な音声デバイスのある構成要素を説明する概念ブロック図である。
【図３】図３は、出力オフセットによって引き起こされる望ましくない可聴アーティファクトを抑制するための音声信号を処理するための方法を説明する処理図である。
【図４】図４は、音声信号経路から出力オフセットを削除するまたは減らすように構成された別の代表的な音声デバイスの一定の構成要素を説明する概念ブロック図である。
【発明を実施するための形態】
【００１８】
以下の詳細な記述は、１つまたはより多くの明確な態様を説明し、記述する。そして、それは、図を組み込み、参照する。制限するためではなく、教示し、例示するためだけに提案されたこれらの態様は、請求されたことを当業者が実行することを可能にさせるために十分な細部において記述され、示される。したがって、簡潔さのために、その記述は、当業者に知られている一定の情報を省略することができる。
【００１９】
“代表的”という語は、ここでは“図、例、実例となること”を意味するために用いられる。“代表的”としてここで記述された全ての態様または変形は、他の態様または変形を越えて有利または好まれるとして必ずしも解釈されるべきではない。この記述において記述された態様及び変形の全ては、当業者が発明を使用及び作成することを可能にさせるために提供される代表的な態様及び変形であり、添付された請求に与えられる法律上の保護の範囲を必ずしも制限するべきではない。
【００２０】
明晰及び便宜の目的だけのために、上部、下部、上、下、〜の上方に、〜より上に、〜より下に、〜の下に、後部及び前部のような方向性の用語は、ここでは伴う図に関して用いられる。これら及び同様の方向性の用語は、発明の範囲を制限するために解釈されるべきではない。左及び右のチャネルへの言及は、左及び右のサウンドステレオチャネルと関連があり、上の方の及び下の方の経路への言及は、図上のそれらの相対的な位置による経路を区別するために用いられる。
【００２１】
いくつかの音声デバイスにおけるクリック／ポップの１つの理由は、その音声デバイスに伴う音声信号経路のアナログドメイン部分の出力での直流（ＤＣ）オフセット電圧の存在である。この出力オフセットは、その音声信号経路のアナログ部分に伴う構成要素の理想的でない性能によって一般に引き起こされる。音声信号がそのアナログ部分に対する入力に存在しないときでさえ、その出力オフセットは存在し得る。したがって、その音声デバイスがパワーアップされたとき、その音声経路の出力は、０ボルトからその出力オフセットによって決定されたなんらかの電圧に突然に変化する。この突然の一時的な信号は、クリック／ポップの中に結果として生じる。同様に、その音声デバイスがパワーダウンしたとき、その音声経路出力は、その出力オフセット値から０ボルトに変化し、また、クリック／ポップを引き起こす。他のモデルチェンジはまた、その出力オフセットのためクリック／ポップを引き起こすことがありうる。
【００２２】
音声信号経路のアナログドメインによって引き起こされる予測される出力オフセットを取り消すために、デジタルドメインの中の音声信号経路上のデジタル化された音声信号に補正するデジタルオフセットを挿入する、１つまたはより多くのデバイス、装置、方法、及び製品は、ここで開示される。この方法において、その音声経路の出力、例えば、電力増幅器出力での出力オフセットは、削除され、または減らされる。クリック／ポップは、このように完全に削除され、または減らされる。地上−参照されたキャップレスモード（ground-referenced capless mode）で動作する音声デバイスにおいて、その出力オフセットを抑制することは、このような音声デバイスのヘッドセット及び／またはスピーカーを通ってＤＣ漏洩電流を削除し、または減らすので、電力消費は、減らされる。
【００２３】
ここで記述されたデバイス、装置、方法、及び製品は、これらに限られないが、ＰＣまたはラップトップのようなコンピュータ、ステレオシステム、ラジオ受信機、ＭＰＥＧ−１音声層３（ＭＰ３）のような音声再生デバイス、ビデオプレーヤーのような音声映像システム、衛星ラジオ受信機、パーソナルデジタルアシスタント（ＰＤＡ）、セルラー電話、電話、及びその同様なものを含む全ての適切な音声デバイスにおいて具体化されることができる。ここで記述されたデバイス、装置、方法、及び製品によって生じさせられる及び処理される音声は、音声、音楽、背景音（background sounds）、雑音及びその同様なもののような、人間の耳または別の方法で知覚できる全ての音を含むことができる。
【００２４】
図１は、音声デバイスの中の出力オフセットを削除する、または減らすための代表的な装置１００の一定の構成要素を説明する概念ブロック図である。音声デバイスは、むしろ、音を表すデジタルサンプルを受信するデジタル音声デバイスであり、音出力を生成するためのデジタルおよびアナログ回路を用いるデジタルサンプルを順番に処理する。
【００２５】
装置１００は、その音声デバイスを通って通過する音声信号経路上の音声信号を処理するように構成されたアナログ処理部１３０及びデジタル処理部１１０を含む。
【００２６】
デジタル処理部１１０は、そのデジタルドメインの中のデジタル音声サンプルストリームを処理するためのデジタル回路及びデジタルのサンプリングされた音ストリーム（例えば、デジタル化された音声信号）を受信するように構成された入力１１２を含む。そのデジタルサンプルは、アナログ音声信号の分離したサンプルを表す。装置１００は、全ての特別のデジタル音声フォーマットに限られない。そのサンプルストリームのフォーマットは、装置１００が実現される音声デバイス次第であり、したがって、そのサンプルストリームは、いくつかの事情において、パルスコード変調（ＰＣＭ）サンプルのような生の音声サンプルであることができる、または、他の事情において、ＭＰ３音声のようなデジタルの符号化された及び／または圧縮された音声であることができる。
【００２７】
デジタル処理部１１０は、そのデジタル音声ストリームを処理するための様々な回路及び出力１１４を更に含む。例えば、サンプリングされた音声ストリームは、１または数倍に切り捨てられ、１または数倍にフィルタリングされ、１または数倍に増幅され、及び／または１または数倍にアップサンプリングされることができる。フィルタリングは、ローパスフィルタリング、ハイパスフィルタリング、及び／または他の種類のフィルタ機能によって特徴付けられるフィルタを通ってそのストリームを渡すことを含むことができる。そのデジタルドメインの中の増幅は、プログラマブル利得増幅器（ＰＤＡ）の使用を含むことができる。
【００２８】
図１に示すように、デジタル処理部１１０はまた、サマー１２０を含む。サマー１２０は、デジタルオフセットをその音声サンプルストリームに加算するように構成される。そのデジタルオフセットは、そのアナログ処理部１３０の中のアナログ構成要素によって引き起こされる予測されたＤＣ出力オフセットを取り消すための選択されたデジタル値である。サマー１２０は、そのデジタルオフセットを受信するための入力１２２及び出力１２４を有する。そのデジタルオフセットは、いくつかの事情において、デジタル処理部１１０のメモリまたは別のブロックのメモリのような、装置１００のメモリ１２５に格納された値である。そのデジタルオフセットは、所定数のビットを備えることができる。そして、ビットの数は、アナログ処理部によってそのアナログ信号に適用される利得に基づいている。サマー１２０は、そのデジタルオフセットをその音声サンプルストリームに加算するように構成される。そのデジタルオフセットは、正または負であることができ、それは、その出力オフセットに基づいている。サマー１２０の前にサンプリングされた音声ストリームがアナログ、時間領域波形S(t)に対応する（すなわち、そのデジタル表現である）そして入力１２２でデジタルオフセットがOFFSETDCのアナログ値に対応するならば、サマー１２０の出力１２４でそのオフセットデジタル音声ストリームは、アナログ音声波形S(t)＋OFFSETDCに対応する。
【００２９】
１つより多くのサンプリングされた音声ストリームは、この方法において処理されることができる。例えば、２つのステレオチャネルは、異なるまたは同じデジタルオフセット値を受信する２つのチャネルの各々とともに、オフセットされ、処理されることができる。
【００３０】
サマー１２０は、デジタル処理部１１０のフロントエンドに、すなわち、入力１１２の近くに配置されることができる。サマー１２０はまた、デジタル処理部１１０のリアエンド（rear end）に、すなわち、出力１１４の近くに配置されることができる。更に、サマー１２０は、デジタル処理部１１０のこれらの２つのエクストリームポイントの間以外のどこでも配置されることができる。
【００３１】
アナログ処理部１３０は、処理された及びオフセットされたデジタル音声ストリームを受信するために、デジタル処理部１１０の出力１１４に連結された入力１３２を含む。アナログ処理部１３０は、デジタルドメインの中のストリームを付加的に処理するためのデジタル回路を任意に含むことができる。アナログ処理部１３０はまた、そのオフセットデジタル音声ストリームをアナログドメインに変換し、それからそのアナログドメインの中のそれをまだ更に処理し、最後に出力ポート１３４を通ってアナログ音声信号を出力するための回路を含む。アナログ処理部１３０におけるデジタル処理は、例えば、ゼロオーダーホールド（ＺＯＨ）回路を伴うアップサンプリング、及びシグマデルタ変調装置（また、シグマデルタノイズシェーパーとして知られる）を通ってそのストリームを渡すことを含むことができる。そのアナログドメインへの変換は、ＤＷＡ（data weighted averaging）アルゴリズムを適用し、そのストリームとともにデジタル−アナログ変換器（ＤＡＣ）を駆動することによってされることができる。１つまたはより多くのアナログ構成要素は、アナログ処理を実行する。アナログ構成要素は、デジタル値に対して対抗されるように、アナログ情報信号を出力し、処理し、及び／または受信する全ての電子構成要素である。そのアナログドメインにおける処理は、交換されたコンデンサ双２次フィルタ（biquad filter）のような、ローパスフィルタを通って（１つまたはより多くのアナログ信号によって今表される）ストリームを渡すことを含むことができる。
【００３２】
出力ポート１３４は、その分野において一般に知られている異なる出力増幅器の中で、または間での交換のために、マルチプレクサ（示さず）と連結されることができる。その異なる出力増幅器は、例えば、ライン電力管理統合回路（ＰＭＩＣ）電力増幅器、ライン出力電力増幅器、ヘッドホン（ＨＰＨ）電力増幅器、及びイヤホン電力増幅器を含むことができる。
【００３３】
アナログ処理部１３０のアナログ構成要素によって音声信号経路に差し込まれたＤＣ出力オフセットは、一般に、２つの構成の部分、システマティックＤＣオフセット及びランダムＤＣオフセットに分割されうる。同じ処理とともに作成された多くのアナログ処理部の全体のＤＣオフセットが統計的に分析されるべきであった場合、一般に同様のエラーの統計の場合と同様に、それらは、標準の分布を形成することを期待されるであろう。しかしながら、その同じ処理によって作成されたアナログ処理部の中のＤＣオフセットの標準の分布は、ここで開示されたデバイス、装置、方法及び製品の必要条件ではない。特別のアナログ処理部、例えば、処理部１３０のシステマティックＤＣオフセットは、その分布の平均としてそのとき考えられることができ、ランダムＤＣオフセットは、その統計的平均からの偏差として考えられることができる。アナログ処理部を作成するために用いられる処理は、特徴付けられることができ、その平均は、生産サンプルから予測された。有利に、サマー１２０に入力されたデジタルオフセットは、アナログ処理部１３０のシステマティックＤＣオフセットを否定するようにセットされることができる。この方法において、アナログ処理部１３０の出力での実際のオフセットは、減らし、または削除することができる。
【００３４】
既に簡単に述べられているように、音声経路装置１００は、音及びその次の音チャネル、例えば、右及び左のステレオチャネルのために複製されることができる。更に、デジタル処理部１１０は、そのデジタル音声サンプルストリームにデジタルオフセットをもたらすための多重のサマーとともに、及び２つまたはなおより多くの選択可能な内部の経路とともに、自身で構成可能であることができる。これらの概念は、図２において説明される。
【００３５】
図２は、音声信号経路から出力オフセットを削除する、または減らすように構成された代表的な音声デバイス２００の一定の構成要素を示す概念ブロック図である。その音声信号経路は、コーダ／デコーダ（コーデック）の受信経路２０１であることができる。そして、それは、音声再生機能、例えば、ＭＰ３再生を有するセルラーアクセス端末（例えば、セルラー電話）のような、デジタル音声デバイスの中に含まれることができる。この態様において、受信経路２０１は、２つのパラレルステレオチャネル、右及び左を含む。その左のチャネルにおいて、その装置は、左のデジタル処理部２１０及び左のアナログ処理部２３０を含む。その右のチャネルにおいて、その装置は、右のデジタル処理部２６０及び右のアナログ処理部２８０を含む。
【００３６】
代表的な音声デバイス２００において、その受信された左及び右の音声信号はむしろ、ＰＣＭ信号のストリームである。各々のチャネルにおいて、そのＰＣＭ信号は、左及び右のプログラマブル利得増幅器（ＰＧＡ）２４０，２５０によってそれぞれデジタルドメインの中に増幅される。そのＲｘ利得は、１６ビット値であることができる。
【００３７】
デジタル処理部２１０及び２６０の各々の中に２つの信号経路が実際上ある。各々のデジタル処理部２１０，２６０は、それぞれハードウェア経路２７３及び２７５を、及びそれぞれファームウェア経路２７７及び２７９を含む。ファームウェア経路２７７，２７９の構成要素はソフトウェア及び／またはファームウェアの中に実現されるのに、ハードウェア経路２７３，２７５のデジタル構成要素は、ハードウェア構成要素を用いて実現される。したがって、ファームウェア経路２７７，２７９の構成要素は、ソフトウェアプログラミング技術によって変わりやすく、プログラム化できる。
【００３８】
そのハードウェア及びファームウェア経路は、選択可能である。換言すれば、デジタル化された音声信号は、ファームウェア経路２７７及び２７９を通って、または、ハードウェア経路２７３及び２７５を通って、導かれることができる。スイッチ２４６，２４８，２５６，２５８のような、セレクタは、それぞれのハードウェア及びファームウェア経路２７３，２７５，２７７，２７９の選択を許可する。音声デバイス２００の動作を制御するように構成されたプロセッサまたはステートマシーンの制御の下の全ての、スイッチ２４６，２５６は、でマルチプレクサであることができ、スイッチ２４８，２５８は、マルチプレクサであることができる。二者択一的に、ハードウェア及びファームウェア経路２７３，２７５，２７７，２７９の出力及び入力は、スイッチ２４６，２４８，２５６，２５８の機能をもたらすためのステートマシーン／プロセッサによって読み取り可能／書き込み可能であるメモリ位置またはレジスタをマップされたメモリであることができる。ハードウェア及びファームウェア経路の両方を有することの利点は、デジタル処理部２１０，２６０が異なる音声コーデックアルゴリズム及びスキーマを操作するために容易に構成可能及びアップデート可能（少なくともファームウェア経路２７７，２７９）であるということである。
【００３９】
左のチャネルのデジタル処理部２１０に焦点を合わせると、第１の左のサマー２２０は、ファームウェア経路２７７の最後またはその近くである。そして、それはまた、切り捨て器２１６，２１８及びローパス（ＬＰ）有限インパルスレスポンス（ＦＩＲ）フィルタ２１７を含む。第２の左のサマーは、ハードウェア経路２７３の開始またはその近くに（at or near the beginning）位置づけられる。デジタル処理部２１０のハードウェア経路２７３は、切り捨て器２２６及び２２８、及びＬＰ ＦＩＲフィルタ２２７を含む。特別の態様において、ＬＰ ＦＩＲ２１７及びＬＰ ＦＩＲ２２７は、めいめいに２２５タップ（taps）を有する。各切り捨て器２１６，２１８，２２６，２２８は、デジタルサンプルを所定数の上位ビットに切り捨て、下位ビットを捨てる。示された例において、切り捨て器２１６及び２２６は、そのサンプルの下位１６ビットを捨て、切り捨て器２１８，２２８は、そのサンプルの下位１３ビットを捨てる。
【００４０】
第１及び第２の左のサマー２２０，２２５は、音声サンプルにデジタルオフセットをめいめいに加算する。デジタルオフセットは、メモリ２４２に格納され、アナログ処理部２３０によって音声信号に差し込まれたＤＣ出力オフセットを表すＰＣＭ値であることができる。各々の経路２７３，２７７のためのデジタルオフセットは、同じ値または異なる値を有することができる。図１の装置に関して上述されたように、そのデジタルオフセットは、それぞれのダウンストリームのアナログ処理部２３０によって引き起こされた出力オフセットのために補正する。
【００４１】
左のチャネルのデジタル処理部２１０の出力は、左のチャネルのアナログ処理部２３０の入力２３２に接続される。アナログ処理部２３０は、ゼロオーダーホールド回路２３５、シグマデルタ変調装置２３６、デジタル−アナログ変換器（ＤＡＣ）２３７との組み合わせにおける重み付けられたデータの平均アルゴリズム、及び交換されたコンデンサ双２次ローパスフィルタ２３８を含む。ＺＯＨ２３５及びシグマデルタ変調装置２３６は、ハードウェアにおいて実現される。アナログ処理部２３０、特にアナログ構成要素２３７及び２３８の中の構成要素の理想的でない操作特性は、その音声信号にＤＣ出力オフセットを差し込む。その出力オフセットは、アナログ処理部２３０の出力を検出可能である。
【００４２】
図２から見られることができるように、右のチャネルのアナログ処理部２８０及び右のチャネルのデジタル処理部２６０の機能及び配列は、それぞれ、左のチャネルのアナログ処理部２３０及び左のチャネルのデジタル処理部２１０の機能及び配列と類似または同一である。右のチャネルのデジタル処理部２６０は、スイッチ２５６，２５８、ファームウェア経路２７９、及びハードウェア経路２７５を含む。ファームウェア経路２７９は、切り捨て器２９０，２９２、ＬＰ ＦＩＲフィルタ２９１、及びサマー２９３を含む。ハードウェア経路２７７は、ハードウェア経路２７５の開始で位置付けられるサマー２９４とともに、ＬＰ ＦＩＲフィルタ２９６及び切り捨て器２９５，２９７を含む。
【００４３】
サマー２９３，２９４は、めいめいに、その音声信号にデジタルオフセットを加算する。そのデジタルオフセットは、メモリ２５２に格納され、右のチャネルのアナログ処理部２８０によって右のチャネルの音声信号に差し込まれたＤＣ出力オフセットを表すＰＣＭ値であることができる。各々の経路２７５，２７９のためのデジタルオフセットは、同一の値または異なる値を有することができる。図１の装置に関して上述されたように、そのデジタルオフセットは、それぞれのダウンストリームのアナログ処理部２８０のアナログ構成要素によって引き起こされた出力オフセットのために補正する。
【００４４】
右のチャネルのアナログ処理部２８０は、ゼロオーダーホールド回路２８２、シグマデルタ変調装置２８４、デジタル−アナログ変換器（ＤＡＣ）との組み合わせにおける重み付けられたデータの平均アルゴリズム、及び交換されたコンデンサ双２次ローパスフィルタ２８８を含む。これらの右のチャネルの構成要素は、左のチャネルのアナログ処理部２３０の対応する構成要素のための上述された同じ方法において機能を果たす。
【００４５】
左及び右のチャネルのアナログ処理部２３０，２８０のアナログ音声信号出力は、それぞれ、デマルチプレクサ（ＤＥＭＵＸ）２４４及び２５４に提供される。デマルチプレクサ２４４，２５４は、例えば、左及び右のラインＰＭＩＣ増幅器２６８，２７４、ライン出力電力増幅器２６６，２７２、及びヘッドホン（ＨＰＨ）電力増幅器２６４，２７０を含む異なる音声電力増幅器に、それぞれ、左及び右のアナログ音声信号を選択的に提供する。左のチャネルのデマルチプレクサ２４４はまた、イヤホン電力増幅器２６２にその音声信号を提供することができる。
【００４６】
有利に、サマー２２０，２２５，２９３，２９４の各々はむしろ、ファームウェアにおいて実現され、受信経路２０１の構成要素を実現されたファームウェア及びハードウェアの間のインタフェースで配置される。この方法において、ここで記述された出力オフセットの削減技術を実現するとき、音声デバイス２００の中の前から存在する構成要素へのハードウェアの変更は、減らされることができる。
【００４７】
そのデジタルオフセットは、同じであることができ、または、左及び右の間の値において異なることができる。
【００４８】
図３は、出力オフセットによって引き起こされた望ましくない可聴アーティファクトを抑制するための音声信号を処理するための代表的な方法３００を説明する処理図である。ステップ３１０において、デジタル化された音声ストリームは、図１及び２の中の要素１１０，２１０，または２６０の１つのような、デジタル化された音声ストリームを処理するように構成されたデジタル処理部の中に受信される。そのデジタル化された音声ストリームは、入力アナログ音声ストリームに対応する。
【００４９】
ステップ３１５で、デジタル処理部はまた、そのデジタル化された音声ストリームに適用されるためのデジタルオフセットを受信する（または読み取る）。デジタル処理部は、ステップ３２０で、アップサンプリング及び／またはフィルタリングのような、そのデジタル化された音声ストリーム上で様々な処理機能を実行することができる。デジタル処理部はまた、そのデジタル化された音声ストリームにデジタルオフセットを加算するので、デジタル処理部の出力で処理されたデジタル化された音声ストリームは、オフセット及び処理されたアナログ音声ストリームに対応する。これは、ステップ３２５でされる。デジタル処理部の出力でオフセット及び処理された音声ストリームは、その入力アナログ音声ストリームの処理された及びオフセットバージョンである。そのオフセットされた及び処理された音声ストリームは、ステップ３３０で、アナログ処理部にそれから送信される。そのオフセット及び処理された音声ストリームは、それぞれステップ３３５及び３４０で、アナログ処理部に含まれるデジタル回路によってデジタルドメインの中で更に処理されることができ、それからアナログストリームに変換されることができる。そのアナログ信号は、ステップ３４５において、アナログ処理部に含まれる１つまたはより多くのアナログ構成要素によってアナログドメインの中でまだ更に処理されることができる。例えば、そのアナログ信号は、フィルタリングされることができる。そのアナログ信号は、ステップ３５０で、ヘッドホン、イヤホン、スピーカー、及び同様のデバイスを駆動するためのアナログ出力にそれから提供されることができる。
【００５０】
図３の中の方法のステップは連続的に記述されているが、これらのステップのいくつかは、パラレルで、パイプラインされた方法で、または別な方法で実行されることができる。明示的に指摘される場合を除き、そうでなければ当業者にとって明らであるように、文脈から明白なように、あるいは本来的に要求されるように、本記述が記載し図３が示す順番と同じ順番にステップと判断が実行されなければならないという格別な要求は存在しない。
【００５１】
システマティック出力オフセットを取り消すためのデジタルオフセットのアプリケーションは、フェーズアウトがそのユーザに目立たないように、時間の周期を越えてゆっくりフェーズアウトされることができる。同様に、異なるセルラーシステムの間で、または電話及びプレーヤー機能の間で交換するとき、例えば、そのデジタルオフセットは、機器のモードを交換する前に、または機器の電源を切る前にゆっくり差し込まれることができる。そのデジタルオフセットの差し込み及び遅いフェーズアウトは、いくつかの変形の中でされることができる。例えば、そのデジタルオフセットは、１００ｍｓに対して１０の時限を越えて線形にフェーズアウトされて、差し込まれることができる。しかし、システムの観点から、動作の多くの時間または全てで適用されるデジタルオフセットを保持することがより好ましいので、その音声デバイスの電源を切る、または状態を変更する前に待機するための必要はない。例えば、状態を交換する間の１００ｍｓのような待機時間は、そのユーザに対して両方悩まし、目立つことができる。それゆえ、いくつかの変形において、デジタルオフセットは、音の動作の全てまたは実質上全ての時間で適用される。
【００５２】
地上−参照されたキャップレスモードで動作する音声デバイスにおいては、このようなデバイスのヘッドセットまたはスピーカーを通って減らされたまたは削除されたＤＣ漏洩電流のために、電力消費は、そのデジタルオフセットのアプリケーションによって減らされる。これは、デジタルオフセットをフェーズアウトしないための更に別の理由である。ここで記述された態様の各々は、は、動作の地上−参照されたキャップレスモードを支援するために特に実現される。地上−参照されたキャップレス音声出力デバイスは、その分野においてよく知られている。
【００５３】
図４は、音声信号経路４０１ａ，４０１ｂから出力オフセットを削除するまたは減らすように構成された他の代表的な音声デバイス４００の一定の構成要素を説明する概念ブロック図である。音声デバイス４００は、デジタル処理部にアナログ処理部の出力オフセットを提供するための１つまたはより多くのフィードバック経路４０３を含む。フィードバック経路４０３は、その出力オフセットの統計的に決定された予測に基づいて静的なデジタルオフセットを有するよりむしろ、対応するデジタルオフセットが個々の音声デバイスの中で動的にアップデートされること及び出力オフセットが測定されることを許可する。そのデジタルオフセットは、定期的に、測定された出力オフセットに基づいてアップデートされ、計算されることができる。例えば、パワーアップ上で、モード変更で、及び／または所定間隔で、フィードバック経路４０３は、そのデジタルオフセットをアップデートし、アナログ部分出力でＤＣ出力オフセットを測定するために用いられることができる。このように、フィードバック経路４０３は、その出力オフセットのより正確な抑制のために許可することができる。
【００５４】
音声信号経路４０１ａ，４０１ｂは、コーデックの受信経路であることができる。それは、音声再生機能、例えばＭＰ３再生に伴うセルラーアクセス端末（例えば、セルラー電話）のような、デジタル音声デバイスの中に含まれることができる。その受信経路は、２つのパラレルステレオチャネル経路、左４０１ａ及び右４０１ｂを含む。その受信された左及び右の音声信号はむしろ、ＰＣＭ信号のストリームである。左のチャネル経路において、音声デバイス４００は、左のチャネル処理部４０２を含む。それは、左のチャネルサマー４０６、デジタル−アナログ変換器（ＤＡＣ）４０８アナログローパスフィルタ（ＬＦＰ）４１０、左のＨＰＨ増幅器（Ａｍｐ）４１２、左の出力オフセットレジスタ４１４、及び左の平均出力オフセットバッファ４１６を含む。その右及び左のチャネル経路は、図１及び２に関しての上でのこれらの議論のように、付加的なデジタル及び／またはアナログ構成要素を含むことができる。
【００５５】
その左及び右のチャネルサマー４０６，４３０は、図２に示されるサマー２２０，２２５，２９３，２９４のために上述されたように同じ方法で実現され、めいめいに機能を果たすことができる。
【００５６】
図４に示される実例フィードバック経路４０３は、ＭＵＸ４２０、アンプ（amp）４２２、エイリアス除去フィルタ４２４、アナログ−デジタル変換器（ＡＤＣ）４２６、及びデマルチプレクサ（ＤＥＭＵＸ）４２８を含む。フィードバック経路４０３は、コーデックを通って送信（Ｔｘ）経路に伴う共用のコンポーネントまたはその部分であることができる。
【００５７】
ステートマシーン４１８は、そのデジタルオフセットの決定、その出力オフセットの処理及び測定、及びフィードバック経路４０３の動作を制御する。ステートマシーン４１８は、ハードウェ及び／またはソフトウェア技術の全ての適切な組み合わせを用いて実現されることができる。むしろ、ステートマシーン４１８は、プロセッサ上で実行するソフトウェア／ファームウェアにおいて実現される。
【００５８】
入力として、フィードバック経路４０３は、マイクロホンからの入力のような、Ｔｘアナログ音声入力か、ライン４０７ｂ上の右のチャネル出力オフセットか、またはライン４０７ａ上の左のチャネル出力オフセットかをＭＵＸ４２０を通って選択的に受信することができる。フィードバック経路４０３の出力は、ＤＥＭＵＸ４２８を通って、左の平均出力オフセットバッファ４１６、音声Ｔｘ経路、または右の平均出力オフセットバッファ４４０に選択的に提供されることができる。ＭＵＸ４２０及びＤＥＭＵＸ４２８は、イネーブル信号（Enable L/R）を通してステートマシーン４１８によって制御される。
【００５９】
右及び左の（それぞれ、イネーブル_R_PA及びイネーブル_L_PA信号を用いる）ヘッドホンアンプ４３６，４１２を可能にすることより前に、ステートマシーン４１８は、１）左の平均出力オフセットバッファにＤＥＭＵＸ４２８、ＡＤＣ４２６、エイリアス除去フィルタ４２４、アンプ４２２、ＭＵＸ４２０を通してライン４０７ａ上の左のチャネルアナログＬＰＦ出力を発送するためにＤＥＭＵＸ４２８及びＭＵＸ４２０をセットし、２）左のチャネル出力オフセットがフィードバック経路４０３（例えば、１０ミリセカンド）を通って伝播することを許可するため予め定義された時間を待機し、３）左の平均出力オフセットバッファ４１６にＡＤＣ４２６の出力で測定された出力オフセット値をラッチし、４）時間period of time時の期間：時間または所定数の出力オフセットサンプルの間ＤＣ出力オフセット値を平均し、５）最後に計算されバッファ４１６の中に配置された平均出力オフセット値に左の出力オフセットレジスタ４１４をセットする。
【００６０】
右のチャネル平均出力オフセット値とともにロードされる右のデジタルオフセットレジスタの中に結果として生じるとき、上のステップ１−５は、ライン４０７ｂ上で測定された右のチャネル出力オフセットを用いる右のチャネルのために繰り返される。左及び右の出力オフセットレジスタ４１４，４３８の両方をロードする後に、ステートマシーン４１８は、左及び右のチャネルの両方の上のオフセット音声信号がそれぞれのアナログＬＰＦ４１０，４３４の出力に通って伝播することを許可する予め定義された時間を待機する。ステートマシーン４１８はそれから、その音声入力（例えば、マイクロホン入力）がそのＴｘ経路に対するフィードバック経路構成要素を通って流れることを可能にするためにＤＥＭＵＸ４２８及びＭＵＸ４２０をセットする。ステートマシーン４１８はそれから、左及び右のＨＰＨアンプ４１２，４３６がそれぞれのヘッドホン４４２，４４４にオフセット音声信号を提供することを可能にする。
【００６１】
デジタルオフセットは、アナログ構成要素によるその音声信号への変更のために補正するためにステートマシーン４１８によって調整されることができる。例えば、そのデジタルオフセットは、所定数のビットを備えることができる。そして、ビットの数は、アナログ構成要素によって音声信号に適用される利得に基づいている。
【００６２】
２つのチャネル音声デバイスに関して上述されたが、測定された出力オフセットをフィードバックすることの技術は、たった１つの音声チャネルデバイスに適用されることができる。
【００６３】
上述された装置１００、音声デバイス２００，４００及び方法３００は、アクセス端末の中にめいめいに含まれることができる。それはまた、ＡＴ、加入者ステーション、ユーザ機器、ＵＥ、移動端末、ＭＴ、またはセルラー通信デバイスとして参照されることができる。上述された装置１００、音声デバイス２００，４００及び方法３００は、移動性がある、または静止であることができ、１つまたはより多くのベーストランシーバステーションと通信することができる。アクセス端末は、無線通信機能を伴うパーソナルデジタルアシスタント（ＰＤＡ）、無線電話、外部または内部モデム、及びパーソナルコンピュータ（ＰＣ）カードに限られないが、これらを含む、装置の多数の型のどれにもなることができる。アクセス端末は、１つまたはより多くのベーストランシーバステーションを通ってラジオネットワークコントローラから、または、へデータパケットを受信し、送信する。
【００６４】
いくつかのセルラーアクセス端末は、異なる種類のネットワークと、例えば、ＣＤＭＡネットワーク及び移動通信のためのグローバルシステム（ＧＳＭ）ネットワークの両方と通信することができる。いくつかのアクセス端末はまた、音声再生のような、付加的な音声関連機能を提供することができる。
【００６５】
ＣＤＭＡシステムは、（１）“デュアルモード広帯域スプレッドスペクトルセルラーシステムのためのＴＩＡ／ＥＩＡ−９５モバイルステーション−ベースステーション互換性規格”（その高められた改訂Ａ及びＢに伴うこの基準は、“ＩＳ−９５規格”として参照されることができる）、（２）“デュアルモード広帯域スプレッドスペクトルセルラーモバイルステーションのためのＴＩＡ／ＥＩＡ−９８−Ｃの推奨された最小限の規格”（“ＩＳ−９８規格”）、（３）“第３のジェネレーションパートナーシッププロジェクト”（３ＧＰＰ）と名づけられた協会によって後援され、“Ｗ−ＣＤＭＡ規格”として知られたドキュメントのセットにおいて具体化された規格、（４）“第３のジェネレーションパートナーシッププロジェクト２”（３ＧＰＰ２）と名づけられた協会によって後援され、“ｃｄｍａ２０００スプレッドスペクトルシステムのためのＴＲ−４５．５物理層規格”、“ｃｄｍａ２０００スプレッドスペクトルシステムのためのＣ．Ｓ０００５−Ａ上位層（層３）信号規格”及び“ＴＩＡ／ＥＩＡ／ＩＳ−８５６ｃｄｍａ２０００高レートパケットデータエアーインタフェース詳述”（集合的に、“ｃｄｍａ２０００規格”）を含むドキュメントのセットにおいて具体化された規格、（５）１ｘＥＶ−ＤＯ規格、及び（６）一定の他の規格のような、１つまたはより多くのＣＤＭＡ規格を支援するために設計されることができる。
【００６６】
ここで記述された様々な方法、装置、構成要素、機能、ステートマシーン、デバイス及び回路は、ハードウェア、ソフトウェア、ファームウェアまたは前記のものの全ての適切な組み合わせにおいて実現されることができる。例えば、ここで記述された方法、装置、構成要素、機能、ステートマシーン、デバイス及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、知的所有権（ＩＰ）コアあるいはその他のプログラマブル論理デバイス、ディスクリート・ゲートあるいはトランジスタ・ロジック、ディスクリート・ハードウェア部品、またはここで記述された機能を実行するために設計された上記何れかの組み合わせを用いて、少なくとも部分的には、実現されうる。汎用プロセッサとしてマイクロプロセッサを用いることが可能であるが、代わりに、従来技術によるプロセッサ、コントローラ、マイクロコントローラ、またはステートマシーンを用いることも可能である。プロセッサは、例えばＤＳＰとマイクロプロセッサとの組み合わせ、複数のマイクロプロセッサ、ＤＳＰコアに接続された１つまたは複数のマイクロプロセッサ、またはこのような任意の構成である計算デバイスの組み合わせとして実現することも可能である。
【００６７】
ここで記述された機能、ステートマシーン、構成要素及び方法は、ソフトウェアによって実現される場合、コンピュータ読み取り可能媒体上の１つまたは複数の命令またはコードとして格納または送信されうる。コンピュータ読み取り可能媒体は、１つの場所から別の場所へのコンピュータ・プログラムの転送を容易にする任意の媒体を含む通信媒体及びコンピュータ記憶媒体両方を含む。記憶媒体は、コンピュータによってアクセス可能である任意の利用可能な媒体であることができる。限定ではなく一例として、そのようなコンピュータ読み取り可能媒体は、ＲＡＭ、ＲＯＭ、ＥＥＰＲＯＭ、ＣＤ−ＲＯＭあるいはその他の光ディスク記憶媒体、磁気ディスク記憶媒体あるいはその他の磁気記憶媒体、または、コンピュータによってアクセス可能であり、命令またはデータ構成の形式で望まれるプログラム・コードを搬送または格納するために用いられることができるその他任意の媒体を備えることができる。また、任意の転送媒体または接続がコンピュータ読み取り可能媒体と適切に称される。例えば、ソフトウェアが、ウェブサイト、サーバ、または、同軸ケーブル、光ファイバー・ケーブル、ツイスト・ペア、ＤＳＬ、あるいは例えば赤外線、無線、及びマイクロ波のような無線技術を用いるその他の遠隔ソースから送信される場合、同軸ケーブル、光ファイバー・ケーブル、ツイスト線ペア、ＤＳＬ、または、例えば赤外線、無線、及びマイクロ波のような無線技術は、媒体の定義内に含まれる。ここで用いられるディスク（disk）及びディスク（disc）は、コンパクト・ディスク（disc）（ＣＤ）、レーザ・ディスク（disc）、光ディスク（disc）、デジタル・バーサタイル・ディスク（disc）（ＤＶＤ）、フロッピー（登録商標）ディスク（disk）、及びブルーレイ・ディスク（disc）を含み、ディスク（disk）は通常データを磁気的に再生するのに対し、ディスク（disc）はレーザによって光的にデータを再生する。上記の組み合わせもまた、コンピュータ読み取り可能媒体の範囲内に含まれる。
【００６８】
開示された態様における上記記載は、当業者をして、添付された特許請求の範囲によって定義されているものの製造または利用を可能とするために提供される。以下の特許請求の範囲は、開示された態様に限られることは意図されていない。他の態様及び変形は、これらの技術の点から見て当業者に容易に浮かぶであろう。それゆえ、上記詳述及び添付図面とともに検討されるとき、以下の特許請求の範囲は、全てのこのような態様及び変形をカバーすることが意図されている。
【図１】
2011503924.tif 000003
【図２】
2011503924.tif 000004
【図３】
2011503924.tif 000005
【図４】
2011503924.tif 000006
【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
ハードウェア経路及びファームウェア経路上のデジタル化された音声信号にデジタルオフセットを加算するように構成され、前記経路の１つが前記デジタル化された音声信号を処理するために選択されたデジタル処理部を具備し、前記デジタルオフセットは、前記デジタル化された音声信号に応じて前記アナログ音声信号を生じさせるように構成された１つまたはより多くのアナログ構成要素によってアナログ音声信号に差し込まれた出力オフセットに基づいている、デバイスの中の出力オフセットを抑制するための装置。
【請求項２】
前記デジタル処理部は、前記デジタル化された音声信号に前記デジタルオフセットを加算するように構成されたサマーを含む、請求項１に記載の装置。
【請求項３】
前記デジタル処理部は、
１つまたはより多くのデジタル処理構成要素と、
前記デジタル処理構成要素の出力を受信するように構成された前記サマーと
を含む、請求項２に記載の装置。
【請求項４】
前記デジタル処理構成要素は、
第１の切り捨て器と、
前記第１の切り捨て器から出力を受信するように構成されたローパスフィルタと、
前記ローパスフィルタから出力を受信するように構成された第２の切り捨て器と
を備える、請求項３に記載の装置。
【請求項５】
前記デジタル処理部は、前記サマーの出力を受信するように構成された１つまたはより多くのデジタル処理構成要素を含む、請求項２に記載の装置。
【請求項６】
前記デジタル処理構成要素は、
第１の切り捨て器と、
前記第１の切り捨て器から出力を受信するように構成されたローパスフィルタと、
前記ローパスフィルタから出力を受信するように第２の切り捨て器と
を備える、請求項５に記載の装置。
【請求項７】
前記デジタルオフセットは、前記出力オフセットの前記負数に対応する、請求項１に記載の装置。
【請求項８】
前記出力オフセットは、所定のシステマティックＤＣオフセットである、請求項１に記載の装置。
【請求項９】
前記デジタル処理部に前記出力オフセットを提供するように構成されたフィードバック経路を更に具備する、請求項１に記載の装置。
【請求項１０】
前記出力オフセットをデジタル値に変換するように構成された、前記フィードバック経路に含まれるアナログ−デジタル変換器（ＡＤＣ）を更に具備する、請求項９に記載の装置。
【請求項１１】
前記装置の初期設定で前記出力オフセットを決定するように構成されたオフセット測定部を更に具備する、請求項１に記載の装置。
【請求項１２】
前記デジタル処理部は、前記デジタル化された音声信号を処理するために前記ハードウェア経路または前記ファームウェア経路のどちらか一方の選択を実行するように構成されたセレクタを備える、請求項１に記載の装置。
【請求項１３】
前記アナログ構成要素を備えるアナログ処理部を更に具備する、請求項１に記載の装置。
【請求項１４】
前記アナログ処理部は、
ゼロオーダーホールド回路と、
前記ゼロオーダーホールド回路から出力を受信するように構成されたシグマ−デルタ変調装置と、
前記シグマ−デルタ変調装置から出力を受信するように構成されたデジタル−アナログ変換器（ＤＡＣ）と、
前記ＤＡＣから出力を受信するように構成されたローパスフィルタと
を備える、請求項１３に記載の装置。
【請求項１５】
前記アナログ処理部から前記音声信号を受信するように構成された音声増幅器を更に具備する、請求項１３に記載の装置。
【請求項１６】
前記アナログ処理部から出力された前記音声信号を受信するように構成されたマルチプレクサと、
前記マルチプレクサから前記音声信号を選択的に受信するように構成された多数の音声増幅器と
を更に具備する請求項１３に記載の装置。
【請求項１７】
前記デジタル化された音声信号を増幅するように構成されたプログラマブル利得増幅器（ＰＧＡ）を更に具備する、請求項１に記載の装置。
【請求項１８】
デジタル化された音声信号が１つまたはより多くのアナログ構成要素によって受信される前に、前記デジタル化された音声信号にデジタルオフセットを加算すること、前記デジタルオフセットは、前記アナログ構成要素によって音声信号に差し込まれた出力オフセットに基づいている、と、
前記デジタル化された音声信号を処理するためにデジタル処理部の中にハードウェア経路またはファームウェア経路のどちらか一方を選択することと
を具備する、デバイスの中の出力オフセットを抑制するための方法。
【請求項１９】
前記デジタルオフセットは、前記出力オフセットの前記負数に対応する、請求項１８に記載の方法。
【請求項２０】
前記出力オフセットは、所定のシステマティックＤＣオフセットである、請求項１８に記載の方法。
【請求項２１】
前記アナログ構成要素の初期設定で前記出力オフセットを測定することと、
前記出力オフセットを前記デジタルオフセットに変換することと
を更に具備する、請求項１８に記載の方法。
【請求項２２】
前記デジタルオフセットは、所定数のビットを備え、前記所定数のビットは、前記アナログ構成要素によって前記音声信号に適用された利得に基づいている、請求項１８に記載の方法。
【請求項２３】
デジタルオフセットを格納するための手段、前記デジタルオフセットは、１つまたはより多くのアナログ構成要素によって音声信号に差し込まれている出力オフセットに基づいている、と、
デジタル化された音声信号が前記アナログ構成要素によって受信される前に、前記デジタル化された音声信号に前記デジタルオフセットを加算するための手段と、
前記デジタル化された音声信号を処理するためにデジタル処理部の中にハードウェア経路またはファームウェア経路のどちらか一方を選択するための手段と
を具備する、デバイスの中の出力オフセットを抑制するための装置。
【請求項２４】
前記デジタルオフセットは、前記出力オフセットの前記負数に対応する、請求項２３に記載の装置。
【請求項２５】
前記アナログ構成要素の初期設定で前記出力オフセットを測定するための手段と、
前記出力オフセットを前記デジタルオフセットに変換するための手段と
を更に具備する、請求項２３に記載の装置。
【請求項２６】
前記格納する手段に前記出力オフセットを提供するためのフィードバック手段を更に具備する、請求項２５に記載の装置。
【請求項２７】
デジタルオフセットを格納するためのコード、前記デジタルオフセットは、１つまたはより多くのアナログ構成要素によって音声信号に差し込まれた出力オフセットに基づいている、と、
デジタル化された音声信号が前記アナログ構成要素によって受信される前に、前記デジタル化された音声信号に前記デジタルオフセットを加算するためのコードと、
前記デジタル化された音声信号を処理するためにデジタル処理部の中にハードウェア経路またはファームウェア経路のどちらか一方を選択するためのコードと
を具備する、デバイスの中の出力オフセットを抑制するための１つまたはより多くのプロセッサによって実行可能な命令のセットを具体化するコンピュータ読み取り可能媒体。
【請求項２８】
前記デジタルオフセットは、前記出力オフセットの前記負数に対応する、請求項２７に記載のコンピュータ読み取り可能媒体。
【請求項２９】
前記アナログ構成要素の初期設定で前記出力オフセットを測定するためのコードと、
前記出力オフセットを前記デジタルオフセットに変換するためのコードと、
を更に具備する、請求項２７に記載のコンピュータ読み取り可能媒体。
【請求項３０】
ハードウェア経路及びファームウェ経路上のデジタル化された音声信号にデジタルオフセットを加算するように構成され、前記経路の１つが前記デジタル化された音声信号を処理するために選択されたデジタル回路と、
前記デジタル回路から前記デジタル化された音声信号を受信し、アナログ音声信号を生じさせるために前記デジタル化された音声信号を処理するように構成されたアナログ回路と
を具備し、
前記デジタルオフセットは、前記アナログ回路によって前記アナログ音声信号に差し込まれた出力オフセットに基づいている、
一時的な可聴アーティファクトを抑制するためのデバイス。
【請求項３１】
前記デジタルオフセットは、前記出力オフセットの前記負数に対応する、請求項３０に記載のデバイス。
【請求項３２】
前記デジタル回路は、前記デジタル化された音声信号を処理するために前記ハードウェア経路または前記ファームウェア経路のどちらか一方の選択を実行するように構成されたセレクタを備える、請求項３０に記載のデバイス。
【請求項３３】
前記デジタル回路に前記出力オフセットを提供するように構成された、前記アナログ回路から前記デジタル回路へのフィードバック経路を更に具備する、請求項３０に記載のデバイス。
【請求項３４】
前記出力オフセットをデジタル値に変換するように構成された、前記フィードバック経路の中に含まれるアナログ−デジタル変換器（ＡＤＣ）を更に具備する、請求項３３に記載のデバイス。
【請求項３５】
前記アナログ回路から出力された前記音声信号を受信するように構成されたマルチプレクサと、
前記マルチプレクサから前記音声信号を選択的に受信するように構成された多数の音声増幅器と
を更に具備する、請求項３０に記載のデバイス。
【請求項３６】
ハードウェア経路及びファームウェア経路上の第１のデジタル化された音声信号に第１のデジタルオフセットを加算するように構成され、前記経路の１つが前記デジタル化された音声信号を処理するために選択され、前記第１のデジタル化された音声信号が左のステレオチャネルに対応する第１のデジタル処理部と、
前記第１のデジタル処理部から前記第１のデジタル化された音声信号を受信し、アナログ音声信号を生じさせるために前記第１のデジタル化された音声信号を処理するように構成された第１のアナログ処理部と、
ハードウェア経路及びファームウェア経路上の第２のデジタル化された音声信号に第２のデジタルオフセットを加算するように構成され、前記経路の１つが前記デジタル化された音声信号を処理するために選択され、前記第２のデジタル化された音声信号が右のステレオチャネルに対応する第２のデジタル処理部と、
前記第２のデジタル処理部から前記第２のデジタル化された音声信号を受信し、アナログ音声信号を生じさせるために前記第２のデジタル化された音声信号を処理するように構成された第２のアナログ処理部と
を具備し、
前記第１のデジタルオフセットは、前記第１のアナログ処理部によって前記第１のアナログ音声信号に差し込まれた第１の出力オフセットに基づいている、
前記第２のデジタルオフセットは、前記第２のアナログ処理部によって前記第２のアナログ音声信号に差し込まれた第２の出力オフセットに基づいている、
デバイスの中の出力オフセットを抑制するための装置。
【請求項３７】
前記第１のデジタルオフセットは、前記第１の出力オフセットの前記負数に対応する、
前記第２のデジタルオフセットは、前記第２の出力オフセットの前記負数に対応する、
請求項３６に記載の装置。
【国際調査報告】
2011503924.tif 000007
2011503924.tif 000008